(57)【要約】【課題】飲料容器用の、クロージャを備えた取っ手を提供すること。【解決手段】飲料容器用の蓋部が、クロージャを含む取っ手と共に記載されている。該クロージャは取っ手に対して枢動し、閉位置にあるように付勢される。クロージャは、バッグ、フェンス等の別の物体に対する、蓋部の確実な取付けを実現する。【選択図】図1
2020037454.tif 000002
【特許請求の範囲】
【請求項１】
通過する分配開口部を含む蓋部本体と、
前記蓋部本体から延在している取っ手であり、第1の取っ手部分および第2の取っ手部分を含む、取っ手と、
遠位端および枢動端を含むクロージャであり、前記遠位端は前記枢動端の概ね反対側にある、クロージャと
を含み、
前記クロージャの前記枢動端は前記第2の取っ手部分に枢動可能に係合されており、前記クロージャは開位置と閉位置との間で移動するように構成されており、前記第2の取っ手部分は、前記クロージャを前記閉位置に向かって付勢するように構成されている傾斜面を含み、
前記第1の取っ手部分は、前記クロージャの前記遠位端を受容する受容空間を含む、
蓋部。
【請求項２】
前記クロージャはゲートである、請求項1に記載の蓋部。
【請求項３】
前記クロージャは、前記遠位端で結合する上部材と下部材とを含む、請求項1に記載の蓋部。
【請求項４】
前記上部材と前記下部材とは、前記上部材と前記下部材とを分離する空間を有して、概ね互いに平行に配置されており、前記上部材および前記下部材は概ね直線の形状を有する、請求項3に記載の蓋部。
【請求項５】
前記上部材は第1の接続部を形成しており、前記下部材は第2の接続部を形成している、請求項3に記載の蓋部。
【請求項６】
前記上部材の前記第1の接続部は前記第2の取っ手部分の上開口部の中に挿入されて枢動し、一方、前記下部材の前記第2の接続部は前記第2の取っ手部分の下開口部の中に挿入されて枢動する、請求項5に記載の蓋部。
【請求項７】
前記第2の取っ手部分は前記傾斜面に隣接したベース面を含み、前記ベース面は開口部を含み、前記クロージャの一部が前記開口部内へ嵌合する、請求項1に記載の蓋部。
【請求項８】
前記クロージャは、前記遠位端で結合する上部材と下部材とを含み、前記開位置への前記クロージャの前記移動は、前記上部材と前記下部材との間の距離を広げることにより、前記クロージャの部材を付勢するかまたは張力をかける、請求項1に記載の蓋部。
【請求項９】
前記第1の取っ手部分の前記受容空間は、湾曲部内へつながる直線部を含む、請求項1に記載の蓋部。
【請求項１０】
前記直線部の壁が前記蓋部の中心軸に向かって内側に湾曲して、前記湾曲部を形成している、請求項1に記載の蓋部。
【請求項１１】
前記直線部と前記湾曲部とは前記遠位端を受容するように構成されている、請求項1に記載の蓋部。
【請求項１２】
前記遠位端は、前記取っ手にかけられる力に応じて、前記直線部から前記湾曲部まで移動するように構成されている、請求項1に記載の蓋部。
【請求項１３】
請求項1に記載の前記蓋部と飲料容器とを含む飲料容器組立体であり、前記蓋部は前記飲料容器に係合するように構成されている、飲料容器組立体。
【請求項１４】
蓋部本体と、
前記蓋部本体から延在している取っ手であり、第1の取っ手部分と第2の取っ手部分とを含む、取っ手と、
遠位端および枢動端を含むクロージャであり、前記遠位端は前記枢動端の概ね反対側にある、クロージャと
を含み、
前記クロージャの前記枢動端は前記第2の取っ手部分に回転可能に係合されており、前記クロージャは開位置と閉位置との間で回転するように構成されており、
前記第2の取っ手部分はベース面および傾斜面を含み、前記ベース面は開口部を含み、前記枢動端は前記開口部内で回転し、前記傾斜面は前記ベース面に隣接しており、前記クロージャは前記傾斜面に当接して回転することにより前記クロージャを付勢し、
前記第1の取っ手部分は、前記クロージャの前記遠位端を受容するように構成されている受容空間を含む、
蓋部。
【請求項１５】
前記ベース面の前記開口部は前記傾斜面と前壁との間にある、請求項14に記載の蓋部。
【請求項１６】
前記クロージャは、前記開口部内へ嵌合して前記クロージャの枢動をもたらす概ね略垂直な接続部を有する直線部材を含む、請求項14に記載の蓋部。
【請求項１７】
前記接続部に隣接した前記直線部材の一部が、前記クロージャの開放移動中、前記傾斜面に接触する、請求項16に記載の蓋部。
【請求項１８】
通過する分配開口部を含む蓋部本体と、
前記蓋部本体から延在している取っ手であり、第1の取っ手部分および第2の取っ手部分を含む、取っ手と、
遠位端において結合する第1の直線部材および第2の直線部材を含むクロージャであり、前記第1の直線部材は第1の接続部を形成しており、前記第2の直線部材は第2の接続部を形成しており、前記第1の接続部および前記第2の接続部は前記遠位端の概ね反対側にある、クロージャと
を含み、
前記第1の接続部および前記第2の接続部は前記第2の取っ手部分に枢動可能に係合されており、前記クロージャは開位置と閉位置との間で枢動するように構成されており、
前記第2の取っ手部分はベース面および傾斜面を含み、前記ベース面は開口部を含み、前記第1の接続部は前記開口部内で回転し、前記傾斜面は前記ベース面に隣接しており、前記第1の直線部材は前記傾斜面に当接して枢動することにより前記クロージャに張力をかけるかまたは付勢し、
前記第1の取っ手部分は前記クロージャの前記遠位端を受容する、
蓋部。
【請求項１９】
通過する分配開口部を含む蓋部本体と、
前記蓋部本体から延在している取っ手であり、第1の取っ手部分および第2の取っ手部分を含む、取っ手と、
遠位端において結合する上部材および下部材を含むクロージャであり、前記上部材は第1の接続部を形成しており、前記下部材は第2の接続部を形成しており、前記第1の接続部および前記第2の接続部は前記遠位端の概ね反対側にある、クロージャと
を含み、
前記第1の接続部および前記第2の接続部は前記第2の取っ手部分に枢動可能に係合され、前記クロージャは開位置と閉位置との間で枢動するように構成されており、
前記第2の取っ手部分は上ベース面および上傾斜面を含み、前記上ベース面は上開口部を含み、前記第1の接続部は前記上開口部内で枢動し、前記上傾斜面は前記ベース面に隣接しており、前記上部材は前記上傾斜面に当接して枢動することにより、前記クロージャに張力をかけるかまたは付勢し、
前記第2の取っ手部分は下ベース面および下傾斜面を含み、前記下ベース面は下開口部を含み、前記第2の接続部は前記下開口部内で枢動し、前記下傾斜面は前記ベース面に隣接しており、前記下部材は前記下傾斜面に当接して枢動することにより、前記クロージャにさらに張力をかけるかまたはさらに付勢し、
前記第1の取っ手部分は前記クロージャの前記遠位端を受容する、
蓋部。
【請求項２０】
単一の傾斜面のみを含み、そのような単一の傾斜面は、前記クロージャを前記閉位置内へ促して静止させるのに十分な引張を支援するような大きさに合わせて作製されている、請求項1から19のいずれか一項に記載の蓋部。
【発明の詳細な説明】
【技術分野】
【０００１】
本発明は飲料容器用の、クロージャ(closure)を備えた取っ手に関する。
【背景技術】
【０００２】
ある飲料容器が、該飲料容器を吊るしたり、固定したり、または保持するための取っ手の特徴を有することが知られている。多くのそのような飲料容器は、依然として、不注意に落下したり、紛失したり、またはそれらの取っ手の特徴が故障したかまたは該取っ手の特徴が固定され得なくなった場合に落ちる可能性がある。
【発明の概要】
【課題を解決するための手段】
【０００３】
飲料容器用の、クロージャを備えた取っ手の、ある態様が示され、記載されている。該取っ手は、飲料容器の蓋部と共に形成され得るかまたはそれと統合され得る。クロージャは蓋部(および存在する場合、飲料容器)をバックパック、他のバッグ、フェンス等に取り付けることを可能にするように開放され得る。クロージャは蓋部および/または飲料容器をバックパック、他のバッグ、フェンス等に固定するように閉鎖され得る。クロージャは、取っ手に枢動可能に係合されているゲートであってもよいか、またはゲートを含んでいてもよい。取っ手およびクロージャは、取っ手が装備されている飲料容器の望まない落下または紛失に備えて追加の保護をもたらす。該取っ手およびクロージャは、取っ手が装備されている飲料容器の便利で確実な保管を実現する。
【０００４】
一態様では、飲料容器用の蓋部が記載されている。該蓋部は、クロージャを有する取っ手を含む。蓋部は、通過する分配開口部を有する蓋部本体を含む。取っ手は蓋部本体から延在している。取っ手は第1の取っ手部分と第2の取っ手部分とを含む。クロージャは遠位端と枢動端とを含む。該遠位端は枢動端の概ね反対側にある。クロージャの枢動端は第2の取っ手部分に枢動可能に係合されている。クロージャは開位置と閉位置との間で移動するように構成されている。第2の取っ手部分は、クロージャを閉位置に向かって付勢するように構成されている傾斜面を含む。また、クロージャの材料はある程度の柔軟性または耐久性を有し、クロージャを閉位置に向かって付勢することを容易にするように選択されてもよい。第1の取っ手部分は、クロージャの遠位端を受容する受容空間を含む。
【図面の簡単な説明】
【０００５】
【図１】飲料容器組立体の斜視図である。
【図２】飲料容器組立体の分解図である。
【図３】開位置へ動かされたクロージャを備えた飲料容器組立体の上面図(top down view)である。
【図４】閉位置にあるクロージャを備えた飲料容器組立体の上面図である。
【図５】閉位置にあるクロージャを備えた飲料容器組立体の上面図であり、クロージャの遠位端が受容空間の湾曲部内にある図である。
【図６】開位置へ動かされたクロージャを備えた飲料容器組立体の側面図であり、傾斜面に当接して付勢している上部材および下部材を示す図である。
【図７】閉位置へ動かされたクロージャを備えた飲料容器組立体の側面図である。
【発明を実施するための形態】
【０００６】
本願の目的のために、相対位置を説明する任意の用語(例えば、「上部」、「中央」、「下部」、「外側」、「内側」、「上方」、「下方」、「底部」、「上部」等)は、説明されている本発明の態様に言及しているが、これらの用語は、実施形態が使用され得る配向を制限しない。
【０００７】
ここで、図1〜図7を参照して、飲料容器組立体10を説明する。該飲料容器組立体10は、飲料を保持する飲料容器50と、該飲料容器50を選択的に閉鎖する蓋部100とを含む。該蓋部100は飲料容器50と係合して、飲料容器組立体10を形成する。
【０００８】
図1〜図2に示されている通り、蓋部100は蓋部本体110を含む。蓋部本体110は、飲料容器50の開口部を閉鎖するように成形され、構成されている。蓋部本体110は、飲料容器50の係合部材と取外し可能に係合する係合部材を形成する下方外壁120を含む。該係合部材は、蓋部100を飲料容器50に選択的に取り付けるように構成されている、ねじ係合、スナップ式係合、摩擦係合、バヨネット係合、または他の係合の補完構成要素を含み得る。
【０００９】
蓋部100は、取っ手200に枢動可能に係合されているクロージャ300を備えた取っ手200を含む。クロージャ300は開放されることが可能であり、蓋部100(存在する場合、飲料容器50)をバックパック、他のバッグ、フェンス等に取り付けることを可能にする。
【００１０】
クロージャ300は閉位置へ付勢されるかまたはばね張力下でクロージャ300を閉位置へ促す。クロージャ300は、付勢またはばね張力下で、取っ手200に枢動可能に係合される。クロージャ300は開位置と閉位置との間で枢動するかまたは回転するように構成されている。クロージャ300を開放するために、ユーザは、クロージャ300が付勢およびばね張力を十分に克服するように促し、クロージャ300を開位置へ移動させる。普通の状態では、クロージャ300は、付勢またはばね張力により、閉位置へ概ね自動的に移動する。ユーザがクロージャ300を解除し、他の力がクロージャ300に作用していないと、クロージャ300は閉位置へ跳ね返るかまたはパチンと留まる可能性がある。
【００１１】
本態様では、クロージャ300は、遠位端330において結合する上部材310と下部材320とを含む。遠位端330は枢動端340の概ね反対側にある。本態様では、上部材310と下部材320とは、上部材310と下部材320とを分離する空間を有して、概ね、互いに平行に配置されている。上部材310および下部材320は概ね直線の形状を有していてもよい。図2に関して、遠位端330の反対側で、上部材310は下向きに曲がって進み、第1の接続部315を形成しており、下部材320は上向きに曲がって進み、第2の接続部325を形成している。本態様では、第1の接続部315および第2の接続部325は上部材310および下部材320それぞれに対して概ね垂直である。第1の接続部315および第2の接続部325はクロージャ300の枢動端340の所にある。
【００１２】
図3〜図5を参照すると、クロージャ300は取っ手200に枢動可能に係合されており、開位置と閉位置との間で枢動する。開位置では、開口部205がアクセス可能である。該開口部205は第1の取っ手部分210と第2の取っ手部分230との間にある。開口部205は取っ手部分210の内側保持部240への経路を提供する。例えば、飲料容器組立体10を金網のフェンスに吊るす場合、フェンスの輪が開口部205を通過し、取っ手200の内側保持部240内へ入ってもよい。
【００１３】
本態様では、第1の取っ手部分210はユーザのための把持構造を形成している。第1の取っ手部分210は蓋部本体110から延在して、取っ手部分210の内側保持部240を画定しており、該内側保持部は、ユーザの手のためのかつフェンス、バッグ等との係合のための大きさに合わせて作製され、成形されている。第1の取っ手部分210は受容部材215をさらに形成しており、クロージャ300の遠位端330を保持するかまたはそれと係合する。クロージャ300は第2の取っ手部分230に枢動可能に係合されている。
【００１４】
ある態様では、受容部材215は、受容空間220を形成しているフック形状を含む。クロージャ300の遠位端330は受容空間220内へ嵌合する。ある態様では、受容空間220は、湾曲部224内へつながる直線部222を含む。直線部222の壁226が蓋部100の中心軸に向かって内側に湾曲して、湾曲部224を形成し得る。図4では、遠位端330は直線部222へ移動している。図5では、遠位端330は直線部222から湾曲部224へ移動している。
【００１５】
本態様では、第2の取っ手部分230は上開口部232と下開口部242とを含む。上部材310の第1の接続部315は上開口部232の中に挿入されて枢動し、一方、下部材320の第2の接続部325は下開口部242の中に挿入されて枢動する。上開口部232と下開口部242とは結合して、第2の取っ手部分230を完全に貫通するチャネルを形成してもよい。他の態様では、上開口部232と下開口部242とは第2の取っ手部分230内へ部分的に通っているだけである。図2および図6を参照すると、上開口部232は第2の取っ手部分230の上ベース面250にある。該上ベース面250は上傾斜面254内へ移行している。上開口部232は上傾斜面254と前壁256との間の上ベース面250内にある。下開口部242は第2の取っ手部分230の下ベース面260にある。該下ベース面260は下傾斜面264内へ移行している。下開口部242は下傾斜面264と前壁266との間の下ベース面260内にある。
【００１６】
また、第2の取っ手部分230へのクロージャ300の枢動係合は、クロージャ300を閉位置へ促す付勢の形成を助ける。第2の取っ手部分230は、1つもしくは複数の傾斜、上部材310および下部材320の一方もしくは両方と相互作用する傾斜面またはくさび面を含む。図6に示されている通り、上傾斜面254は上開口部232に隣接しており、クロージャ300が開位置へ移動する方向に上向きに傾斜しており、下傾斜面264は下開口部242に隣接しており、クロージャ300が開位置へ移動する方向に下向きに傾斜している。クロージャ300が開位置へ内向きに促されると、上部材310は上傾斜面254に接触して、上傾斜面254に当接して付勢し、一方、下部材320は下傾斜面264に接触して、下傾斜面264に当接して付勢する。上部材310および下部材320は互いに対してかつ/または遠位端330に対して屈曲し得る。例えば、上部材310と下部材320との間の空間は増大する可能性があり、したがってクロージャ300に引張または付勢力を与える。上部材310および下部材320は各傾斜面254および264に当接してさらに移動するので、引張または付勢は増大する可能性がある。開位置へのクロージャ300の移動は、上部材310と下部材320との間の距離を広げることにより、クロージャ300を付勢するかまたは張力をかけ得る。クロージャ300がユーザにより解除された場合、上部材310と上傾斜面254とのかつ下部材320と下傾斜面264との間の引張または付勢はクロージャ300を閉位置へ駆動し戻す。
【００１７】
図1〜図7の態様では、クロージャ300が開位置へ枢動すると、上部材310は上傾斜面254に接触し、上傾斜面254に当接して付勢し、下部材320は下傾斜面264に接触し、下傾斜面264に当接して付勢する。他の態様では、単一の傾斜面が、クロージャ300を閉位置へ促すのに必要な付勢および引張をもたらしてもよい。したがって、ある態様では、上傾斜面254または下傾斜面264のどちらかが削除される可能性がある。
【００１８】
図4に示されている通り、クロージャ300が閉鎖されかつ最小限から無までの力が取っ手200に作用している場合、クロージャ300の遠位端330は受容空間220の直線部222に進入する。クロージャ300が閉鎖された場合、取っ手部分210の内側保持部240はここで完全に閉鎖される。すなわち取っ手部分210の内側保持部240への開口部205はクロージャ300により閉鎖される。図5に示されている通り、ユーザが取っ手200を担持しているかまたは取っ手200がバッグ、フェンス、もしくは他の物品に取り付けられた場合、飲料容器組立体10の重量は取っ手200に重みをかけ、クロージャ300の遠位端330は受容空間220の湾曲部224に進入する。これはクロージャ300の不注意な開放を防止する追加の安全をもたらす。ある態様では、受容空間220は、湾曲部224内へ移行しているかまたは湾曲している直線部222の壁226を含む。
【００１９】
蓋部100は、蓋部本体110を通過する分配開口部130を含む。該分配開口部130は、飲料容器および飲用装置において使用されるノズル、吐水口、弁、噴霧器、開口部、または他の流体通路を含み得る。ある態様では、覆いが蓋部100の上を覆ってぴったり適合してもよいかまたは係合してもよい。
【００２０】
図1〜図7の態様では、取っ手200は蓋部100の中心軸に対して概ね垂直に延在している。他の態様では、取っ手200は蓋部100の中心軸に対してある角度(正または負)で延在していてもよい。他の態様では、取っ手200は蓋部100と蝶番でまたは枢動可能に接続していてもよい。例えば、蓋部100に近接した第1の取っ手部分210の端部と蓋部100に近接した第2の取っ手部分230の端部とが蝶番でまたは枢動可能に蓋部100に接続されていてもよい。例えば、軸が、蓋部100に近接した第1の取っ手部分210の端部、蓋部100に近接した第2の取っ手部分230の端部、蓋部100の軸受容部を通過していてもよい。
【００２１】
他の態様では、取っ手200は、吊るされているかまたは担持されている他の携帯用物品と共に使用されてもよい。例えば、第1の取っ手部分210、第2の取っ手部分230、およびクロージャ300はそのような携帯用物品の外側または外面に取り付けられてもよいか、または接続されてもよい。
【００２２】
したがって、本開示は、本明細書に記載されている特定の態様に限定されないこと、様々な変更および修正が、以下の特許請求の範囲により定められる、この新規のコンセプトの精神および範囲から逸脱することなく施され得ることが理解されるべきである。さらに、出願人の開示の多くの他の利点が、上記の説明および後方の特許請求の範囲から当業者に明らかになるであろう。
【符号の説明】
【００２３】
10  飲料容器組立体
50  飲料容器
100  蓋部
110  蓋部本体
120  下方外壁
130  分配開口部
200  取っ手
205  開口部
210  第1の取っ手部分
215  受容部材
220  受容空間
222  (受容空間の)直線部
224  (受容空間の)湾曲部
226  (直線部の)壁
230  第2の取っ手部分
232  上開口部
240  内側保持部
242  下開口部
250  上ベース面
254  上傾斜面
256、266  前壁
260  下ベース面
264  下傾斜面
300  クロージャ
310  上部材
315  第1の接続部
320  下部材
325  第2の接続部
330  (クロージャの)遠位端
340  (クロージャの)枢動端
【図１】
2020037454.tif 000003
【図２】
2020037454.tif 000004
【図３】
2020037454.tif 000005
【図４】
2020037454.tif 000006
【図５】
2020037454.tif 000007
【図６】
2020037454.tif 000008
【図７】
2020037454.tif 000009
【外国語明細書】
2020037454000001.pdf